(57)【特許請求の範囲】
【請求項１】
パレット上に配置された型枠に材料を供給し、当該型枠を振動させ、当該型枠内の材料を押圧してコンクリートブロックを成型し、成型されたコンクリートブロックを型枠から抜き出すコンクリートブロック成型方法において、
弾性体と当該弾性体に支持された振動テーブルと当該振動テーブルを振動させるテーブル振動手段と当該振動テーブルに支持された打付け具を備えた振動付加手段の当該テーブル振動手段で前記振動テーブルを振動させることによって、当該振動テーブルに支持された打付け具を前記パレットに打付け、当該打付け具のパレットへの打付けによって、前記型枠に材料が充填された状態で当該パレットに振動を加える、
ことを特徴とするコンクリートブロック成型方法。
【請求項２】
パレット上に配置された型枠に材料を供給し、当該型枠を振動させ、当該型枠内の材料を押圧してコンクリートブロックを成型し、成型されたコンクリートブロックを型枠から抜き出すコンクリートブロック成型方法において、
型枠振動手段で型枠を振動させることによって当該型枠の振動を前記パレットを介して弾性体に伝達し、当該弾性体からの反発力によって打付け具を前記パレットに打付けることによって、前記型枠に材料が充填された状態で当該パレットに振動を加える、
ことを特徴とするコンクリートブロック成形方法。
【請求項３】
請求項１又は請求項２記載のコンクリートブロック成型方法において、
型枠とパレットを同時又は略同時に振動させる、
ことを特徴とするコンクリートブロック成型方法。
【請求項４】
請求項１から請求項３のいずれか１項に記載のコンクリートブロック成型方法において、
型枠とパレットに異なる種類の振動を加える、
ことを特徴とするコンクリートブロック成型方法。
【請求項５】
パレットと、パレット上に配置される型枠と、当該型枠を振動させる型枠振動手段と、型枠内に供給された材料をプレスするプレス手段を備えたコンクリートブロックの成型装置において、
前記パレットを支えるパレット支持手段と、
前記パレットに振動を加える振動付加手段を備え、
前記振動付加手段は、弾性体と、当該弾性体に支持された振動テーブルと、振動テーブルを振動させるテーブル振動手段と、当該振動テーブルに支持された打付け具を備え、
前記テーブル振動手段によって振動テーブルが振動すると、当該振動テーブルに支持された打付け具がパレットに打付けられて当該パレットに振動が加わる、
ことを特徴とするコンクリートブロック成型装置。
【請求項６】
パレットと、パレット上に配置される型枠と、当該型枠を振動させる型枠振動手段と、型枠内に供給された材料をプレスするプレス手段を備えたコンクリートブロックの成型装置において、
前記パレットを支えるパレット支持手段と、
前記パレットに振動を加える振動付加手段を備え、
前記振動付加手段は、弾性体と当該弾性体に支持された打付け具を備え、
前記型枠振動手段によって型枠が振動すると、当該型枠の振動が前記弾性体に加わり、当該弾性体に加わった振動の反発力によって打付け具がパレットに打付けられて当該パレットに振動が加わる、
ことを特徴とするコンクリートブロック成型装置。
【請求項７】
請求項５又は請求項６記載のコンクリートブロック成型装置において、
振動付加手段は、型枠と同時又は略同時にパレットを振動させることができる、
ことを特徴とするコンクリートブロック成型装置。
【請求項８】
請求項５から請求項７のいずれか１項に記載のコンクリートブロック成型装置において、
振動付加手段は、型枠に加わる振動とは異なる種類の振動をパレットに加えることができる、
ことを特徴とするコンクリートブロック成型装置。
【請求項９】
請求項５から請求項８のいずれか１項に記載のコンクリートブロック成型装置において、
振動付加手段は、パレットに加える振動の大きさを変更することができ、
前記パレットに加える振動の大きさを変えることによって、パレットに加わる振動の強さを変えることができる、
ことを特徴とするコンクリートブロック成型装置。
【発明の詳細な説明】
【技術分野】
【０００１】
本発明は、コンクリートブロックの成型方法及び成型装置に関する。
【背景技術】
【０００２】
コンクリートブロックの成型方法として、型枠を上下振動させて成型する型枠振動方式と、型枠の底面から衝撃的な振動を与えて成型するテーブル振動方式が知られている（特許文献１）。一般に、建物や塀などに使用される空洞ブロックの成型には型枠振動方式が採用され、舗装材などに使用される平板やインターロッキングブロックなどの成型にはテーブル振動方式が採用される。
【０００３】
前記型枠振動方式では、型枠全体が上下方向に振動することで、型枠壁面からのせん断力が骨材に伝達されやすく、型枠の壁面から離れた部分も上から下まで略均等な充填密度となるメリットがある。
【０００４】
一方、前記テーブル振動方式では、型枠の底面側から振動を加えるので、型枠の下側に宛がうパレット面側の詰まりが良好であり、薄物且つ大判サイズのブロックも均一に充填することができ、曲げ強度の高い品質が得られるというメリットがある。
【先行技術文献】
【特許文献】
【０００５】
【特許文献１】特開２００８−０８０７７４号公報
【発明の概要】
【発明が解決しようとする課題】
【０００６】
前記型枠振動方式では、全体的にはコンクリートの略均一な詰まりを実現できるが、詳細に見ると、コンクリートブロックの下部（パレット側）はその上部（プレス面側）に比べてコンクリートの詰まりが粗くなる傾向にある。
【０００７】
このため、例えば、化粧ブロックのようにフェイスシェル表面に縦ライン等を形成する場合、縦ラインの下部に欠損等が生じることがある。特に、ラインが細いものではこのような欠損等が目立ちやすく、景観材としての役割をも有する化粧ブロックにおいては、このような欠損等によって商品価値が大きく損なわれる。
【０００８】
また、外観上は欠損等がない場合でも、コンクリートの詰まりが悪いために二次加工を施した際にその部分が大きく剥離したり、欠けたりすることがある。
【０００９】
本発明はかかる事情に鑑みてなされたものであり、その解決課題は、型枠の振動のみでは実現しきれなかったパレット側の密な充填を実現することができ、欠損等の発生を抑制することができるコンクリートブロックの成型方法及び成型装置を提供することにある。
【課題を解決するための手段】
【００１０】
［コンクリートブロック成型方法］
本発明のコンクリートブロック成型方法は、パレット上に配置された型枠に材料を供給し、当該型枠を振動させ、型枠内の材料を押圧してコンクリートブロックを成型し、成型されたコンクリートブロックを型枠から抜き出す方法であって、弾性体と弾性体に支持された振動テーブルと振動テーブルを振動させるテーブル振動手段と振動テーブルに支持された打付け具を備えた振動付加手段の当該テーブル振動手段で振動テーブルを振動させることによって、振動テーブルに支持された打付け具をパレットに打付け、当該打付け具のパレットへの打付けによって、型枠に材料が充填された状態でパレットに振動を加える方法である。本発明のコンクリートブロック成型方法は、型枠振動手段で型枠を振動させることによって型枠の振動をパレットを介して弾性体に伝達し、弾性体からの反発力によって打付け具をパレットに打付けることによって、型枠に材料が充填された状態でパレットに振動を加えるようにすることもできる。
【００１１】
［コンクリートブロック成型装置］
本発明のコンクリートブロック成型装置は、パレットと当該パレット上に配置される型枠と、当該型枠を振動させる型枠振動手段と、型枠内の材料を押圧するプレス手段を備えた装置であって、パレットを支えるパレット支持手段と、パレットに振動を加える振動付加手段を備え、振動付加手段は、弾性体と弾性体に支持された振動テーブルと振動テーブルを振動させるテーブル振動手段と振動テーブルに支持された打付け具を備え、テーブル振動手段によって振動テーブルが振動すると、振動テーブルに支持された打付け具がパレットに打付けられてパレットに振動が加わるようにしたものである。本発明のコンクリートブロック成型装置は、前記パレットを支えるパレット支持手段と、パレットに振動を加える振動付加手段を備え、振動付加手段は、弾性体と当該弾性体に支持された打付け具を備え、型枠振動手段によって型枠が振動すると、型枠の振動が弾性体に加わり、弾性体に加わった振動の反発力によって打付け具がパレットに打付けられてパレットに振動が加わるようにすることもできる。
【発明の効果】
【００１２】
［コンクリートブロック成型方法］
本発明のコンクリートブロック成型方法は、型枠に材料が充填された状態でパレットに振動を加えるため、型枠の振動だけでは実現しきれなかったパレット側の密な充填を実現することができ、欠損等の発生を抑制することができる。
【００１３】
［コンクリートブロック成型装置］
本発明のコンクリートブロック成型装置は、型枠を振動させる型枠振動手段に加え、パレットに振動を加える振動付加手段を備えているため、型枠の振動だけでは実現しきれなかったパレット側の密な充填を実現することができ、欠損等の発生を抑制することができる。
【図面の簡単な説明】
【００１４】
【図１】（ａ）は本発明のコンクリートブロック成型装置の一例を示す正面図、（ｂ）は防振体と打付け具の位置関係を示す平面図。
【図２】（ａ）は型枠を上下振動させた際にコンクリート材料に伝わる波形（横波）の説明図、（ｂ）は振動テーブルを上下振動させた際にコンクリート材料に伝わる波形（縦波）の説明図。
【図３】（ａ）は本発明のコンクリートブロック成型装置の他例を示す正面図、（ｂ）は（ａ）の丸囲い部分の拡大図、（ｃ）は防振体と打付け具の位置関係を示す平面図。
【図４】（ａ）は空気ばねを加圧して打付け具をパレットに密着させた状態の説明図、（ｂ）は空気ばねの加圧を解除して打付け具をパレットから離した状態の説明図。
【図５】（ａ）は空気ばねを加圧して打付け具をパレットに密着させた場合の型枠の振動波形とパレットの振動波形を示すもの、（ｂ）は空気ばねを加圧せずに打付け具をパレットから離した場合の型枠の振動波形とパレットの振動波形を示すもの。
【図６】コンクリートブロックの成型手順の説明図であって、（ａ）は型枠に材料を供給した状態を示すもの、（ｂ）は型枠及び振動テーブルを振動させた状態を示すもの。
【図７】コンクリートブロックの成型手順の説明図であって、（ａ）は型枠に供給された材料を押圧手段で締め固めている状態を示すもの、（ｂ）は成型されたコンクリートブロックをパレット上に抜き出した状態を示すもの。
【発明を実施するための形態】
【００１５】
（コンクリートブロック成型方法の実施形態）
本発明のコンクリートブロック成型方法（以下、単に「成型方法」という）の一例を説明する。本発明の成型方法は、各種コンクリートブロックの成型、より具体的には、即時脱型コンクリートブロックの成型に特に好適に用いることのできる成型方法である。
【００１６】
この実施形態の成型方法は、パレット上に配置された型枠に材料を供給する工程と、型枠を振動させる工程と、パレットを振動させる工程と、型枠内の材料を押圧して締め固める工程と、締め固められて所定形状に成型されたコンクリートブロックを脱型する工程を備えている。
【００１７】
前記パレット上に配置された型枠に材料を供給する工程では、パレットを型枠の底面側に密着させた状態で型枠の所定箇所に材料を供給する。材料の供給は既存の方法で行うことができる。
【００１８】
前記型枠を振動させる工程では、型枠に連結された型枠振動手段によって型枠を上下に振動させる。型枠振動手段には既存の装置を用いることができる。型枠への振動は、材料が固まる前であればいつでも付加することができ、例えば、型枠への材料の供給前から開始することも、材料の供給完了後から開始することもできる。また、型枠への振動は、材料の締固めが完了する前に終了することも、材料の締固めが完了するまで続けることもできる。
【００１９】
前記パレットを振動させる工程では、型枠に材料が充填された状態でパレットの底面を打付け具で打付ける（叩く）ことでパレットに上下振動を加えることができる。ここで加える振動は、パレットに衝撃を与えるための振動（いわゆる衝撃振動）である。
【００２０】
パレットは、型枠と同時又は略同時に振動させることができる。ここでいう同時又は略同時とは、型枠とパレットの双方が振動している時間帯があるという程度の意味であり、振動開始のタイミングが異なる場合や振動終了のタイミングが異なる場合、総振動時間が異なる場合も含まれる。なお、パレットと型枠は別々に振動させることもできる。
【００２１】
パレットには、型枠に加わる振動とは異なる種類の振動を加えることができる。ここでいう異なる種類の振動とは、材料が波の進行方向と平行に振動する縦波と、材料が波の進行方向と垂直に振動する横波のことを意味する。
【００２２】
また、パレットは、型枠を振動させる型枠振動手段とは異なる振動手段によって振動させることも、型枠を振動させる型枠振動手段によって、言い換えれば、型枠に加わる振動を利用して振動させることもできる。
【００２３】
（コンクリートブロック成型装置の実施形態１）
次に、本発明のコンクリートブロック成型装置（以下、単に「成型装置」という）の実施形態の一例を、図面を参照して説明する。一例として図１（ａ）（ｂ）に示す成型装置は、昇降手段１０と、パレット支持手段２０と、振動付加手段３０と、パレット４０と、型枠５０と、型枠振動手段６０と、プレス手段７０を備えている。
【００２４】
前記昇降手段１０は、パレット支持手段２０及びパレット支持手段２０で支持されたパレット４０を昇降させるものである。この実施形態では、昇降手段１０として既存の油圧シリンダを用いている。昇降手段１０には、油圧シリンダ以外のものを用いることもできる。
【００２５】
前記パレット支持手段２０は、パレット４０を底面側から支持するものである。この実施形態のパレット支持手段２０は、昇降手段１０に連結された支持体２１と、支持体２１上に設けられた複数の防振体２２と、防振体２２上に設けられたガーダーテーブル２３を備えている。支持体２１、防振体２２及びガーダーテーブル２３は、昇降手段１０の昇降動作に伴って昇降するようにしてある。
【００２６】
この実施形態の支持体２１は、内部に振動付加手段３０の構成部材を収容可能な収容部を備えた中空の箱型部材である。支持体２１は箱型以外の構成とすることもできる。図１（ｂ）に示すように、この実施形態の支持体２１の上面には、後述する打付け具３４の打付け部３４ｂが突出する支持体開口部２１ａが複数（打付け部３４ｂと同数以上）設けられている。
【００２７】
前記防振体２２は、上面に設置されるガーダーテーブル２３の振動を防止するものである。この実施形態では、防振体２２として防振ゴムを用いている。防振ゴムは、支持体２１の上に間隔をあけて複数個（この実施形態では六個）設けられている。防振ゴムの数や配置位置に制限はないが、ガーダーテーブル２３を安定した状態で支持できるような数をバランスよく配置するのが好ましい。防振体２２には防振ゴム以外のものを用いることもできる。
【００２８】
前記ガーダーテーブル２３は、パレット４０を支持するものである。この実施形態のガーダーテーブル２３はパレット４０と平面的に同等の大きさ（面積が同程度）の平板材である。図１（ｂ）に示すように、ガーダーテーブル２３には後述する打付け部３４ｂが通過可能なテーブル開口部２３ａが複数個（打付け部３４ｂと同数以上）設けられている。
【００２９】
前記振動付加手段３０は、パレット支持手段２０で支持されたパレット４０に振動を加えるものである。この実施形態では、振動付加手段３０でパレット４０を上下振動させることによって、材料に縦波（図２（ｂ）参照）が付加されるようにしてある。
【００３０】
この実施形態の振動付加手段３０は、複数の弾性体３１と、それら弾性体３１上に設けられた振動テーブル３２と、振動テーブル３２を振動させるテーブル振動手段３３と、振動テーブル３２上に設けられた打付け具３４を備えている。
【００３１】
前記弾性体３１は、振動テーブル３２を支持するものであり、振動テーブル３２及び打付け具３４をパレット４０の底面側に向けて押し上げるものである。この実施形態では、弾性体３１として空気ばねを用いている。空気ばねは前後左右に間隔をあけて複数個設けられている。空気ばねの圧力は図示しない圧力調整装置で調整できるようにしてある。
【００３２】
この実施形態では、空気ばねを加圧したとき（空気ばねをＯＮにしたとき）に打付け具３４の打付け部３４ｂがパレット４０に密着するようにしてある（図４（ａ）参照）。反対に、空気ばねの加圧を解除したとき（空気ばねをＯＦＦにしたとき）に打付け部３４ｂのパレット４０への密着が解消されるようにしてある（図４（ｂ）参照）。
【００３３】
この実施形態の空気ばねは一例であり、弾性体３１には、各種ゴムやスプリングなど、空気ばね以外のものを用いることもできる。
【００３４】
前記振動テーブル３２は打付け具３４を支持するものである。この実施形態の振動テーブル３２は、電動機や動力伝達手段（駆動ベルトやプーリー等）を備えたテーブル振動手段３３によって振動が加えられるようにしてある。具体的には、電動機が動作すると、その動力が動力伝達手段を介して振動テーブル３２に伝わり、振動テーブル３２が振動するようにしてある。この実施形態では、テーブル振動手段３３によって振幅や周波数を変えることができる。
【００３５】
前記打付け具３４は、パレット４０の底面側を叩いてパレット４０に振動を加えるもの（いわゆるノッキンググリッド）である。この実施形態の打付け具３４は、ベース部３４ａとベース部３４ａの上面側に突設された打付け部３４ｂを備えている。図１（ｂ）に示すように、打付け部３４ｂは間隔をあけて複数個設けられている。打付け部３４ｂの数や設置位置に制限はないが、パレット４０を均等に打付けるのに必要な数をバランスよく配置するのが好ましい。打付け具３４は振動テーブル３２の上面に設けられている。
【００３６】
前記パレット４０は、型枠５０の底面に宛がって型枠５０に供給される材料が漏れないようにするとともに、成型後のコンクリートブロックＸを載置（支持）するものである。この実施形態のパレット４０は、少なくとも型枠５０の材料供給部分の底面側の開口を閉塞できる大きさの平板状部材である。パレット４０には既存の又は新規のものを用いることができる。
【００３７】
前記型枠５０は、コンクリートブロックＸを成形するための枠部材である。型枠５０には既存の又は新規のものを用いることができる。この実施形態の型枠５０は、材料充填部を二つ備えており、一度に二つのコンクリートブロックＸを成形できるようにしてある。ここで示した型枠５０の構成は一例であり、型枠５０の構成はこれ以外とすることもできる。
【００３８】
前記型枠振動手段６０は、型枠５０を振動させるものである。この実施形態では、型枠振動手段６０で型枠を上下振動させることによって、材料に横波（図２（ａ）参照）が付加されるようにしてある。この実施形態の型枠振動手段６０は、電動機や動力伝達手段（駆動ベルトやプーリー等）を備えている。電動機が動作すると、その動力が動力伝達手段を介して型枠５０に伝わり、型枠５０が上下に振動するようにしてある。この実施形態では、型枠振動手段６０によって振幅や周波数を変えることができる。
【００３９】
前記プレス手段７０は、型枠５０内の材料充填部分に供給された材料を押圧して締め固めるものである。プレス手段７０には既存の又は新規のものを用いることができる。この実施形態のプレス手段７０は、プレスシリンダ７１とプレス具７２を備えている。この実施形態では、プレスシリンダ７１として油圧シリンダを用いている。
【００４０】
プレス具７２は、基部７２ａと基部７２ａから下向きに突設された押し棒７２ｂを備えている。プレスシリンダ７１のロッドはプレス具７２の基部７２ａの上面側に固定され、プレスシリンダ７１のロッドの伸縮によって、プレス具７２の押し棒７２ｂが型枠５０内に押し込まれるようにしてある。
【００４１】
この実施形態の成型装置は、型枠５０のみを振動させる型枠振動モード、振動テーブル３２（パレット４０）のみを振動させるテーブル振動モード、型枠５０と振動テーブル３２（パレット４０）の双方を振動させる双方振動モードの三つのモードで使用できるようにしてある。
【００４２】
この実施形態では、型枠振動手段６０で型枠５０が上下に振動することによって、図２（ａ）に示すような横波が生じ、振動テーブル３２が上下に振動することによって、図２（ｂ）に示すような縦波が生じるようにしてある。
【００４３】
（コンクリートブロック成型装置の実施形態２）
本発明の成型装置の他例を、図面を参照して説明する。一例として図３（ａ）〜（ｃ）に示す成型装置は、昇降手段１０と、パレット支持手段２０と、振動付加手段３０と、パレット４０と、型枠５０と、型枠振動手段６０と、プレス手段７０を備えている。
【００４４】
この実施形態の成型装置の基本的な構成は実施形態１と同様である。異なるのは、パレット支持手段２０の支持体２１の構成と、振動付加手段３０の構成である。以下では、実施形態１と異なる部分を中心に説明し、実施形態１と同様の部分については適宜その説明を省略する。
【００４５】
この実施形態の支持体２１は平板状であり、実施形態１のような収容部は設けられていない。実施形態１と同様、この実施形態の支持体２１の上面に防振体２２が設けられ、その防振体２２の上面にガーダーテーブル２３が設けられている。
【００４６】
この実施形態の振動付加手段３０は、弾性体３１と打付け具３４を備えている。実施形態１と同様、この実施形態でも、弾性体３１として空気ばねを、打付け具３４として実施形態１と同様のノッキンググリッドを用いている。
【００４７】
この実施形態では、図４（ａ）のように空気ばねをＯＮにすることによって、空気ばねに支えられた打付け具３４の打付け部３４ｂがパレット４０に密着し、図４（ｂ）のように空気ばねをＯＦＦにすることによって、空気ばねに支えられた打付け具３４の打付け部３４ｂがパレット４０から離れるようにしてある。
【００４８】
前者の場合、型枠振動手段６０によって型枠５０が振動すると、その振動がパレット４０を介して打付け具３４及び空気ばねへと伝わり、その空気ばねからの反発力によって打付け具３４が上下に振動し、パレット４０の底面に振動が加えられる。このときのパレット４０の振動波形は、図５（ａ）の下側に示すような波形であり、図５（ａ）の上側に示す型枠５０の振動波形とは形状が異なる。
【００４９】
一方、後者の場合、型枠振動手段６０によって型枠５０が振動しても、その振動は打付け具３４及び空気ばねへは伝わらず、打付け具３４によってパレット４０の底面に振動が加えられることはない。このときのパレット４０の振動波形は、図５（ｂ）の下側に示すような波形であり、図５（ｂ）の上側に示す型枠５０の振動波形と形状が同様である。
【００５０】
この実施形態の成型装置では、型枠５０のみを振動させる型枠振動モード又は型枠５０とパレット４０の双方を振動させる双方振動モードで使用することができる。
【００５１】
（使用例）
次に、本発明の成型装置の使用例について説明する。ここでは、実施形態２の成型装置を一例とする。
（１）昇降手段１０を上昇させ、パレット４０を型枠５０の底面に密着させる（図６（ａ））。このとき、空気ばねは加圧した状態にしておき、打付け部３４ｂがパレット４０の底面に密着するようにしておく。
（２）図示しない材料供給手段から型枠５０内に材料を供給する（図６（ａ））。
（３）型枠振動手段６０によって材料が供給された型枠５０を振動させる（図６（ｂ））。このとき、型枠５０に加わった振動がパレット４０を介して打付け具３４及び空気ばねへと伝わり、その空気ばねからの反発力によって打付け具３４が上下に振動し、パレット４０の底面に振動が加えられる。
（４）プレス手段７０によって型枠５０内の材料を所定位置（コンクリートブロックＸが所定高さとなる位置）までプレスし、材料を押し固める（図７（ａ））。
（５）材料の押し固めによって材料が所定形状に成型されたのち、成型されたコンクリートブロックＸをプレス手段７０で押し下げながら昇降手段１０を降下させ、型枠５０から抜き出す（図７（ｂ））。このとき、型枠５０は型枠サポートＳによって支持される。
【００５２】
前記工程において、型枠５０とパレット４０は、材料が固まる前の任意のタイミングで振動させることができる。具体的には、材料の供給開始前からプレスが完了するまでの任意のタイミングで、任意の時間振動させることができる。
【００５３】
以上の工程で成型されたコンクリートブロックＸは、型枠５０の振動によって上下方向の全体的な充填が確保されるだけでなく、パレット４０の振動が加わるため、従来粗くなりがちであったパレット４０側（コンクリートブロックＸの下側）にも材料が密に充填されたものとなる。
【００５４】
これにより、例えば、化粧ブロックのようにフェイスシェル表面に縦ライン等を形成する場合でも、縦ラインの下部に欠損等ができにくく、ラインが細いもの等であっても欠損等が目立つことがない。このため、景観材としての役割をも有する化粧ブロックとして用いる場合であっても、欠損等によって商品価値が大きく損なわれることがない。
【００５５】
また、コンクリートブロックＸの内部にも欠損等が生じにくいため、当該コンクリートブロックＸに二次加工を施しても剥離や損壊が生じにくい。
【００５６】
なお、前記使用例において、型枠５０のみを振動させる型枠振動モードで使用する場合、打付け具３４が振動しないようにする（打付け具３４の振動を規制する）必要がある。具体的には、空気ばねをＯＦＦにして、打付け部３４ｂとパレット４０の間に隙間を設けることで、打付け具３４の振動を規制することができる。
【００５７】
（その他の使用例）
前記実施形態１の成型装置を用いる場合、前記（１）〜（５）の工程に加えて、テーブル振動手段３３によって振動テーブル３２を振動させ、打付け具３４でパレット４０の底面に振動を加える工程が追加される。
【００５８】
なお、前記実施形態１の成型装置を用いる場合、型枠５０のみを振動させる型枠振動モードで使用するためには、打付け具３４が振動しないようにする（打付け具３４の振動を規制する）必要がある。具体的には、テーブル振動手段３３を動作させない、あるいは、空気ばねの加圧を解除して、打付け部３４ｂとパレット４０の間に隙間を設けることで、打付け具３４の振動を規制することができる。
【００５９】
また、前記実施形態１の成型装置を用いる場合、振動テーブル３２のみを振動させるテーブル振動モードで使用するためには、型枠５０が振動しないようにする（型枠５０の振動を規制する）必要がある。具体的には、型枠振動手段６０を動作させないことで、型枠５０の振動を規制することができる。
【産業上の利用可能性】
【００６０】
本発明の成型方法及び成型装置は、各種コンクリートブロックの成型方法及び成型装置、特に、即時脱型コンクリートの成型方法及び成型装置として好適に利用することができる。
【符号の説明】
【００６１】
１０    昇降手段
２０    パレット支持手段
２１    支持体
２１ａ  支持体開口部
２２    防振体
２３    ガーダーテーブル
２３ａ  テーブル開口部
３０    振動付加手段
３１    弾性体
３２    振動テーブル
３３    テーブル振動手段
３４    打付け具
３４ａ  ベース部
３４ｂ  打付け部
４０    パレット
５０    型枠
６０    型枠振動手段
７０    プレス手段
７１    プレスシリンダ
７２    プレス具
７２ａ  基部
７２ｂ  押し棒
Ｓ      型枠サポート
Ｘ      コンクリートブロック
【要約】
【課題】  型枠の振動のみでは実現しきれなかったパレット側の密な充填を実現することができ、欠損等の発生を抑制することができるコンクリートブロックの成型方法及び成型装置を提供する。
【解決手段】  本発明のコンクリートブロックの成型方法は、パレット上に配置された型枠に材料を供給し、型枠を振動させ、型枠内の材料を押圧してコンクリートブロックを成型し、成型されたコンクリートブロックを型枠から抜き出す方法であって、型枠に材料が充填された状態で前記パレットを振動させる方法である。本発明のコンクリートブロック成型装置は、パレット４０とパレット４０上に配置される型枠５０と、型枠５０を振動させる型枠振動手段６０と、型枠５０内の材料を押圧するプレス手段７０を備えた装置であって、パレット４０に振動を加える振動付加手段３０を備えたものである。
【選択図】    図１【図１】
0006814489.tif 000002
【図２】
0006814489.tif 000003
【図３】
0006814489.tif 000004
【図４】
0006814489.tif 000005
【図５】
0006814489.tif 000006
【図６】
0006814489.tif 000007
【図７】
0006814489.tif 000008